【事件の表示】
　平成　８年特許願第３２６７２１号「ディジタル放送システム」拒絶査定不服審判事件〔平成１０年　６月２６日出願公開、特開平１０−１７４０６４〕について、次のとおり審決する。
【結　論】
　本件審判の請求は、成り立たない。
【理　由】
１．手続の経緯・本願発明
　 
　本願は、平成８年１２月６日の出願であって、その請求項１及び２に係る発明は、平成９年１２月９日付け、及び平成１５年８月７日付けの各手続補正書により補正された明細書並びに出願当初の図面の記載からみて、その特許請求の範囲の請求項１及び２に記載された事項により特定されるとおりのものと認められるところ、その請求項１に記載された発明（以下「本願発明」という。）は次のとおりである。
　
「互いに同期した、インタレース方式の右目用フィールド映像信号と、インタレース方式の左目用フィールド映像信号とを、対応する偶数フィールドごとおよび対応する奇数フィールドごとに対応付けて多重化して、ノンインタレース方式の１チャネルのフレーム映像信号を形成する映像処理手段を備え、前記映像処理手段は、前記右目用フィールド映像信号に対応する画面および前記左目用フィールド映像信号に対応する画面をそれぞれ、前記１チャネルのフレーム映像信号に対応する画面を上下方向に分割して配列し、
　前記フレーム映像信号を圧縮、変調して伝送する送信手段と、
　前記伝送されたフレーム映像信号を受信して、復調、伸長する受信手段と、
　前記復調、伸長された前記フレーム映像信号を受けて、前記右目用フィールド映像信号および前記左目用フィールド映像信号を復元する映像信号復元手段とをさらに備える、ディジタル放送システム。」
　
２．引用文献 
　
　原査定の拒絶の理由に引用された特開平８−７０４７５号公報（平成８年３月１２日公開、以下「引用文献」という。）には、次の事項が記載されている。 
　 
ア．「合成器（Ｍ）により、フィールド単位の右目用の動画像信号とフィールド単位の左目用の動画像信号とを、１水平走査線毎にマージし、このマージした動画像信号をＭＰＥＧ２方式のエンコーダ（４）によりフレーム構造で符号化する立体動画像の符号化方法。」（２頁左欄２１行〜２５行） 
　
イ．「本発明は右目用及び左目用の動画像からなる立体動画像信号の符号化・復号化方法及び装置に関する。」（３頁左欄４８行〜右欄１行） 
　
ウ．「合成器により、フィールド単位の右目用の動画像信号とフィールド単位の左目用の動画像信号とを、１水平走査線毎にマージし、このマージした動画像信号をＭＰＥＧ２方式のエンコーダによりフレーム構造で符号化してもよい」（４頁右欄１１行〜１４行） 
　
エ．「【００３７】〔第２実施例〕次に、本発明を具体化した第２実施例を説明する。この実施例では、左画像１及び右画像２はインタレース画像である。図２に示すように、左画像１は、奇数フィールド画像OF1 と偶数フィールド画像EF1 とをもつ。右画像２は、奇数フィールド画像OF2 と偶数フィールド画像EF2 とをもつ。
【００３８】左画像１及び右画像２を符号化する場合、合成器Ｍａは奇数フィールド画像OF1 のラインOL1 と、奇数フィールド画像OF2 のラインOL2 とを交互にマージして第１フィールド画像８を形成する。合成器Ｍｂは偶数フィールド画像EF1 のラインEL1 と、偶数フィールド画像EF2 のラインEL2 とを交互にマージして第２フィールド画像９を形成する。
【００３９】エンコーダ／デコーダ１０は、エンコーダ部及びデーコダ部を備え、エンコーダ部は第１及び第２のフィールド画像８，９をそれぞれ入力して、それらを符号化する。このエンコーダ／デコーダ１０は、第１フィールド画像８を奇数フレーム画像とし、第２フィールド画像９を偶数フレーム画像としてフレーム構造のＭＰＥＧ−２規格で符号化を行う。」（７頁左欄２行〜２１行） 
　
オ．「【００４２】以上、各フィールド画像をＭＰＥＧ−２に対応したエンコーダ／デコーダ１０を利用して、立体動画像信号を効率良く符号化することができる。左画像１及び右画像２を再生する場合、エンコーダ／デコーダ１０は、図示しない光ピックアップによって読取られた光磁気ディスクの符号化データを入力し、これをデコーダ部が復号化して再生第１及び第２フィールド画像１１、１２を生成する。エンコーダ／デコーダ１０は、これらの画像データを分離器Ｓ1 に出力する。
【００４３】分離器Ｓ1 は再生第１フィールド画像１１を奇数フィールド画像OF1 と奇数フィールド画像OF2 とにそれぞれ分離する。分離器Ｓ1 は、複数のラインOL1 からなる奇数フィールド画像OF1 と、複数のラインOL2 からなる奇数フィールド画像OF2 をそれぞれ形成すべく、各ラインOL1,OL2 を振り分ける。分離器Ｓ2 は再生第２フィールド画像１２を偶数フィールド画像EF1 と偶数フィールド画像EF2 とにそれぞれ分離する。
【００４４】分離器Ｓ2 は、複数のラインEL1 からなる偶数フィールド画像EF1 と、複数のラインEL2 からなる偶数フィールド画像EF2 とをそれぞれ形成すべく、各ラインEL1 ，EL2 を振り分ける。このようにして奇数フィールド画像OF1 と偶数フィールド画像EF1 とからなる再生左画像１Ａ、及び奇数フィールド画像0F2 と偶数フィールド画像EF2 とからなる再生右画像２Ａが得られる。」（７頁左欄３５行〜右欄８行） 
　
カ．「【００５６】第１カメラ２８は同期信号ＳＹＮＣを第２カメラ３０及びクロックジェネレータ３６に出力する。第２カメラ３０は同期信号ＳＹＮＣに同期して動作する。クロックジェネレータ３６は、同期信号ＳＹＮＣに同期してクロック信号を生成し、これをメモリ制御回路３８に出力する。
【００５７】メモリ制御回路３８は、クロックジェネレータ３６からのクロック信号に応答して、図７に示す書き込みクロック信号ｆ1 を生成し、これを第１及び第２ラインメモリ３２，３４にそれぞれ出力する。第１ラインメモリ３２は、書き込みクロック信号ｆ1 に応答して右画像信号ＲＶを１ライン（Ｒ1-1,Ｒ1-2.... にて図示）毎に格納する。第２ラインメモリは、同様に左画像信号ＬＶを１ライン（Ｌ1-1,Ｌ1-2.... にて図示）毎に格納する。
【００５８】更に、メモリ制御回路３８は、クロック信号に応答して書き込みクロック信号ｆ1 に同期し、かつその信号ｆ1 の周波数の２倍の周波数をもつ第１読出しクロック信号ｆ2 を生成し、これを第１ラインメモリ３２に出力する。メモリ制御回路３８は、クロック信号に応答して第１読出しクロック信号ｆ2 に遅延し、かつ書き込みクロック信号ｆ1 の周波数の２倍の周波数をもつ第２読出しクロック信号ｆ3 とを生成し、これを第２ラインメモリ３４に出力する。
【００５９】第１ラインメモリ３２は、第１読出しクロック信号ｆ1 に応答して、１／２に圧縮された右画像信号ＲＶを１ライン毎にエンコーダ２２に出力する。第２ラインメモリ３４は、第２読出しクロック信号ｆ3 に応答して、同じく１／２に圧縮された右画像信号ＲＶに遅延する左画像信号ＬＶを１ライン毎にエンコーダ２２に出力する。この結果、合成器２０は、右左動画像信号を１ライン毎に交互に合成した合成画像信号ＤＶをエンコーダ２２に出力する。」（８頁左欄２５行〜右欄７行） 
　
キ．「図２８に示すように合成器４８は、垂直方向の走査期間が１／２の左右合成画像信号ＤＶ２をエンコーダ５０に出力する。」（１４頁左欄３４行〜３６行） 
　
ク．「上記第４の例において、左目用の動画像信号と右目用の動画像信号とを１画面（フレーム）毎に交互に合成する代わりに、フィールド単位で形成される右目用の動画像信号と、フィールド単位で形成される左目用の動画像信号とを１フィールド毎に合成して、この合成動画像信号をフィールド構造のＭＰＥＧ−２エンコーダ５０により符号化するようにしてもよい。」（１６頁右欄４８行〜１７頁左欄４行） 
　
ケ．「図３６に示すように、左画像１のラインL1と右画像２のラインL2とを一定数のライン（この場合、４ライン）毎に交互にマージしてもよい。」（１６頁右欄４０行〜４２行） 
　
３．対比
　 
　本願発明と引用文献に記載された発明（以下「引用発明」という。）とを以下に対比する。
　
　本願発明のディジタル放送システムは、右目用フィールド映像信号および左目用フィールド映像信号を圧縮、伸長することを発明の主要な構成とするものであって、一方、引用発明は右目用及び左目用の動画像からなる立体動画像信号の符号化・復号化装置に関する発明であることから、本願発明と引用発明とは「映像信号の圧縮・伸長装置」という点で同様の発明と認められる。
　また、上記２．のア．〜エ．及びカ．の記載、及び、図２、図６及び図７から、引用発明は「互いに同期した、インタレース方式の右目用フィールド映像信号と、インタレース方式の左目用フィールド映像信号とを、対応する偶数フィールドごとおよび対応する奇数フィールドごとに対応付けて多重化」するものであり、また、引用発明は第１フィールド画像８を奇数フレーム画像とし、第２フィールド画像９を偶数フレーム画像としてフレーム構造のＭＰＥＧ−２規格で符号化を行っていることから、「ノンインタレース方式の１チャネルのフレーム映像信号を形成する映像処理手段」及び「フレーム映像信号を圧縮する手段」を備えているものと認められる。 
　さらに、上記２．のオ．の記載から、引用発明は「フレーム映像信号を伸長する手段と、伸長されたフレーム映像信号を受けて、右目用フィールド映像信号および左目用フィールド映像信号を復元する映像信号復元手段」を備えているものと認められる。
　したがって、両者は、 
　 
「互いに同期した、インタレース方式の右目用フィールド映像信号と、インタレース方式の左目用フィールド映像信号とを、対応する偶数フィールドごとおよび対応する奇数フィールドごとに対応付けて多重化して、ノンインタレース方式の１チャネルのフレーム映像信号を形成する映像処理手段を備え、
　前記フレーム映像信号を圧縮する手段と、
　前記圧縮されたフレーム映像信号を伸長する手段と、
　前記伸長された前記フレーム映像信号を受けて、前記右目用フィールド映像信号および前記左目用フィールド映像信号を復元する映像信号復元手段とをさらに備える、映像信号の圧縮・伸長装置。」 
　 
である点で一致し、次の点で相違する。 
　 
（相違点１）
　本願発明の映像処理手段は、「右目用フィールド映像信号に対応する画面および左目用フィールド映像信号に対応する画面をそれぞれ、１チャネルのフレーム映像信号に対応する画面を上下方向に分割して配列」するものであるのに対し、引用発明の映像処理手段は、「フィールド単位の右目用の動画像信号とフィールド単位の左目用の動画像信号とを、１水平走査線毎にマージ」するものである点。
　
（相違点２）
　本願発明は、「フレーム映像信号を圧縮、変調して伝送する送信手段と、伝送されたフレーム映像信号を受信して、復調、伸長する受信手段」とを備えた「ディジタル放送システム」であるのに対し、引用発明は、そのような構成を有していない点。
　
４．当審の判断 
　 
　上記相違点につき、以下に検討する。 
　 
（相違点１について）
　引用文献には、右目用映像信号と左目用映像信号を多重化するにあたって、右目用映像信号と左目用映像信号を１水平走査線毎にマージする構成の他に、上記２．キ．、ク．及び図２８に、右目用映像信号と左目用映像信号を画面の左右方向に分割して配列するものが示され、また、上記２．ケ．に一定数のライン毎に交互にマージするとの開示もあることから、右目用映像信号と左目用映像信号を多重化するにあたって、両映像信号をどのように配置するかは、必要に応じて当業者が適宜採用し得る構成にすぎないものと認められ、上記相違点１に係る構成を採用することに、格別の困難性があるものとは認められない。
　
（相違点２について）
　圧縮映像信号を変調して伝送し、伝送された映像信号を受信して、復調、伸長するディジタル放送システムは周知のものであり、引用発明をこのようなディジタル放送システムに適用することに何ら困難性は認められない。
　
（効果等について）　
　上記のとおり、本願発明の相違点１及び２に係る各構成は当業者が容易になし得ることであり、また、これら相違点を総合しても格別のものがあるとは認められない。さらに、本願発明の効果も、引用文献の記載及び周知技術から予測することができる程度のものにすぎない。
　 
５．むすび
　 
　以上のとおり、本願の請求項１に係る発明は、引用文献に記載された発明及び周知技術に基づいて、当業者が容易に発明をすることができたものであるから、特許法第２９条第２項の規定により特許を受けることができない。
　したがって、本願の他の請求項について検討するまでもなく、本願は拒絶されるべきものである。
　よって、結論のとおり審決する。